(57)【特許請求の範囲】
【請求項１】
二輪車の付属品を固定するためのブラケットと、当該ブラケットを二輪車の円形軸に固定するために当該ブラケットと当該円形軸とに掛け回すホースバンドとを含み、上記ホースバンドおよび上記ブラケットが、上記円形軸との間にゴムシートを挟んで組み付けられること、
上記ブラケットに突起が設けられていて、上記ホースバンドによって上記ブラケットを上記円形軸に固定するとき、当該突起の先端が、上記円形軸と上記ブラケットとの間に設けられた上記ゴムシートに押し当てられること、および、
上記ブラケットと上記ゴムシートとの間に、さらに、ブラケット底板を配置するとともに、当該ブラケット底板が、上記ブラケットの上記突起の先端部が貫通する突起用開口を備えていること
を特徴とする二輪車の付属品取付用具。
【請求項２】
上記ホースバンドと上記ブラケットとの間にさらにゴムシートが設けられていることを特徴とする請求項１に記載の二輪車の付属品取付用具。
【請求項３】
取付先である上記円形軸が、二輪車のフロントフォークシャフトであることを特徴とする請求項１または２に記載の二輪車の付属品取付用具。
【請求項４】
上記付属品としてＵ字形ロック装置のホルダーが、上記ブラケットに固定されることを特徴とする請求項１〜３のいずれかに記載の二輪車の付属品取付用具。
【請求項５】
上記ホルダーが、上記ブラケットに取り付け可能なプレートを有し、当該プレートに、Ｕ字形ロック装置のＵ字状フレームの直線部を位置決めする１対のガイド片と、当該Ｕ字形ロック装置の鍵部を位置決めするガイド部と、Ｕ字形ロック装置を押さえる押さえ部とが設けられているとともに、上記１対のガイド片が、間隔を調節可能に上記プレートに設けられていることを特徴とする請求項４に記載の二輪車の付属品取付用具。
【発明の詳細な説明】
【技術分野】
【０００１】
本発明は、二輪車の車体にＵ字形ロック装置のホルダーや小物入れ等を取り付けるための二輪車の付属品取付用具に関するものである。
【背景技術】
【０００２】
二輪車の盗難防止用の装置に、Ｕ字形ロック装置がある。Ｕ字形ロック装置は、Ｕ字形のフレーム部と、フレーム部の両端に掛けてロックすることが可能な直線状の鍵部とからなる。二輪車の走行時には、荷台のフレーム等に引っ掛けるか、車体に設けられた収納ボックスに収納するなどしてＵ字形ロック装置を携行していた。
【０００３】
一方、特許文献１には、後輪の側方に設けられた専用の取付装置でＵ字形ロック装置を保持して携行することが記載されている。この取付装置は、Ｕ字形のロックフレームの両端がそれぞれ通過する２本の保持パイプと、これらの保持パイプを車体に固定する固定部とからなる。Ｕ字形ロック装置をこの取付装置に取り付けるときは、ロックフレームの解放端に固定されるロックバー（鍵部）を取り外した状態でロックフレームの両端を保持パイプの後方から挿入し、ロックフレームの両端が保持パイプの前方から突き出たところでロックバーを固定する。
【先行技術文献】
【特許文献】
【０００４】
【特許文献１】特開平１１−２７８３３７号公報
【発明の概要】
【発明が解決しようとする課題】
【０００５】
Ｕ字形ロック装置は、荷台やハンドル等に引っ掛けた状態で二輪車を走行させると車体と接触して車体に傷を付ける恐れがあった。また、収納ボックスでは他の収納物と混載する場合が多く、Ｕ字形ロック装置の出し入れ時に混雑による不便が生じていた。
【０００６】
特許文献１に記載の取付装置は、車体への固定方法が、車体フレームに穴加工をしてボルトとナットで締結するというもので、車体への加工という好ましくない工程が含まれている。また、２本の保持パイプの間隔およびそれぞれの内径が、ロックフレームの直線部の間隔および外径と同一に設定されているため、サイズの異なるＵ字形ロック装置に対応することができない。
【０００７】
本発明は、以上の点を考慮したもので、盗難防止用のＵ字形ロック装置のホルダーや小物入れ等の付属品を、二輪車の車体に加工を施すことなく固定できる二輪車の付属品取付装置を提供することを目的とする。さらに、多様なサイズのＵ字形ロック装置を保持できるホルダーを備えた二輪車の付属品取付用具を提供することをも目的とする。
【課題を解決するための手段】
【０００８】
本発明に係る二輪車の付属品取付用具は、二輪車の付属品を固定するためのブラケットと、当該ブラケットを二輪車の円形軸に固定するために当該ブラケットと当該円形軸とに掛け回すホースバンドとを含み、
上記ホースバンドおよび上記ブラケットが、上記円形軸との間にゴムシートを挟んで組み付けられることを特徴とする。
【０００９】
このように構成された二輪車の付属品取付用具は、二輪車の車体の円形軸にホースバンドを介してブラケットを固定するため、車体に穴開け等の加工を施すことなく固定可能である。また、ホースバンドは長さ調節が可能なため、異なるサイズの円形軸にブラケットを固定できる。さらに、ゴムシートが、ホースバンドやブラケットを直接車体（円形軸）に接触させないので、車体を傷つける恐れがないという利点のほか、ゴムシートによってホースバンドやブラケットが滑りにくくなるとともに走行中の振動が吸収されるので、車体に良好に固定された状態を維持できる、といった利点が生じる。この付属品取付用具のブラケットに、Ｕ字形ロック装置のホルダーや小物入れ等の付属品を固定させることができる。
【００１０】
本発明については、さらに、上記ブラケットに突起が設けられていて、上記ホースバンドによって上記ブラケットを上記円形軸に固定するとき、当該突起の先端が、上記円形軸と上記ブラケットとの間に設けられた上記ゴムシートに押し当てられることが好ましい。
【００１１】
このような二輪車の付属品取付用具であれば、ホースバンドを締め付けることによってブラケットの突起をゴムシートに食い込ませることができるので、ブラケットを動きにくくすることができ、二輪車の車体への固定状態がより安定する。
【００１２】
また、上記ホースバンドと上記ブラケットとの間にさらにゴムシートが設けられているとなお好ましい。
【００１３】
このような二輪車の付属品取付用具であれば、ホースバンドがブラケットに直接接触することがないため、ホースバンドによってブラケットが傷付けられることも防止できる。また、ゴムシートが走行中の振動を吸収するので、さらに安定した状態で二輪車の車体に固定することができる。
【００１４】
発明の二輪車の付属品取付用具は、取付先である上記円形軸が、二輪車のフロントフォークシャフトであることを特徴とする。
【００１５】
二輪車の付属品取付用具の取付箇所としては、円形軸が直線状に延びていること、ブラケットに固定した付属品が運転操作や走行を妨害しないよう、周囲に他の車体要素がないこと、などが重要である。これらの点でフロントフォークシャフトが最も好ましいといえる。
【００１６】
本発明については、上記付属品としてＵ字形ロック装置のホルダーが、上記ブラケットに固定されることが考えられる。Ｕ字形ロック装置とは、半円状の曲線部と曲線部から平行に延びた２本の直線部からなるＵ字状のフレーム部と、２本の直線部の各端部に対してロックされ得る鍵部とを有するものをいう。
【００１７】
このような二輪車の付属品取付用具であれば、二輪車のＵ字形ロック装置を、ホルダーに保持させることによって走行中に安定して携行することができる。取付用具およびホルダーを適切な部位に設けると、Ｕ字形ロック装置が他の荷物に干渉しないので扱いやすいという利点もある。
【００１８】
上記ホルダーが、上記ブラケットに取り付け可能なプレートを有し、当該プレートに、Ｕ字形ロック装置のＵ字状フレーム部の直線部を位置決めする１対のガイド片と、当該Ｕ字形ロック装置の鍵部を位置決めするガイド部と、Ｕ字形ロック装置を保持する押さえ部とが設けられているとともに、上記１対のガイド片が、間隔を調節可能に上記プレートに設けられているとよい。
【００１９】
このように構成された二輪車の付属品取付用具は、Ｕ字形ロック装置のＵ字状フレーム部と鍵部を位置決めした状態で保持できるホルダーが、付属品としてブラケットに取り付けられているので、Ｕ字形ロック装置を二輪車の走行中に安定して車体に携行できる。また、１対のガイド片の間隔をＵ字状フレーム部の直線部の間隔に合わせることができるので、異なるサイズのＵ字形ロック装置をホルダーに保持させることができる。
【発明の効果】
【００２０】
発明の二輪車の付属品取付用具は、二輪車の車体の円形軸に、穴開け等の加工を施すことなく取り付けることが可能である。車体を傷つける恐れもない。また、異なるサイズの円形軸に取り付け可能である。さらに、付属品としてブラケットに取り付けたＵ字形ロック装置のホルダーに、多様なサイズのＵ字形ロック装置を保持させて携行することができる。
【図面の簡単な説明】
【００２１】
【図１】図１（ａ）は、発明による二輪車の付属品取付用具１をフロントフォークシャフトに取り付けた状態を示す側面図で、図１（ｂ）は、そのｂ−ｂ断面図である。
【図２】図１（ｂ）に示す各部の分解図である。
【図３】図３（ａ）は、ブラケットの側面図であり、図３（ｂ）は、ブラケットの正面図である。
【図４】ブラケット底板の正面図である。
【図５】付属品としてのＵ字形ロック装置のホルダーを示す斜視図である。
【図６】ホルダーにＵ字形ロック装置を保持させた状態を示す斜視図である。
【発明を実施するための形態】
【００２２】
以下、発明による二輪車の付属品取付用具の一実施形態を、図１〜図４に基づき説明する。
【００２３】
図１・図２に示すように、二輪車の付属品取付用具１は、Ｕ字形ロック装置のホルダーや小物入れ等の付属品を取り付け可能なブラケット２を、二輪車の車体のフロントフォークシャフト１００にホースバンド３で締め付けて固定できるよう構成している。
【００２４】
ブラケット２は、図３に示すように、金属板を断面コ字状に形成したもので、フロントフォークシャフト１００に対向する側に突起２１を一体に形成している。さらに、ブラケット２の両側面には、ホースバンド３を通すためのバンド用開口２ａと、後述するホースバンド受け金具６を支持するためのボルト穴２ｂとを形成している。また、ブラケット２の正面には、後述するＵ字形ロック装置２０１（図６）のホルダー１０１（図５）を取り付けるためのボルト９１（図１）を通すボルト穴２ｃを形成している。
【００２５】
ホースバンド３は、図１・図２に示すもので、対象物に環状に巻き付けたステンレス製のバンド３１をハウジング３２内で重ね合わせ、ハウジング３２に設けたネジ３３を回すことによってバンド３１を締め付けたり緩めたりする市販の固定具である。ネジ３３の回転によってバンド３１の径を変化させることができるため、フロントフォークシャフト１００の外径に合わせて異なる長さのホースバンドを用意する必要がない。また、高圧用のホースバンドを用いれば、十分な強度を確保できる。このようなホースバンド３は、ブラケット２のバンド用開口２ａに通したバンド３１をフロントフォークシャフト１００に巻き付け、ハウジング３２に設けたネジ３３を回転させることで締め付けて、ブラケット２をフロントフォークシャフト１００に取り付けることができる。
【００２６】
ブラケット２とホースバンド３が直接フロントフォークシャフト１００に接触するのを防止するため、フロントフォークシャフト１００の外周にゴムシート４を巻いている。ゴムシート４は、図２に示すように、強力耐熱両面テープ８でフロントフォークシャフト１００に接着する。両面テープ８の代わりに接着剤を用いて接着することも可能であるが、両面テープ８であれば、フロントフォークシャフト１００の外周面を保護する効果も期待できる。ゴムシート４を間に挟むことによって、ブラケット２やホースバンド３がフロントフォークシャフト１００を傷つけるのを防止できる。
【００２７】
ブラケット２とゴムシート４の間に、さらに、ブラケット底板５を配置している。図４のとおり、ブラケット底板５は、ブラケット２の突起２１の先端部のみが貫通する突起用開口５ａを備えているので、図１のようにホースバンド３を締め付けたときに、突起２１の先端部がゴムシート４に食い込んで、ブラケット２の取り付け状態を安定させることができる。ブラケット底板５は、フロントフォークシャフト１００に巻き付けたゴムシート４の継ぎ目を覆う機能と、ホースバンド３を締め付けたときにブラケット２を介してゴムシート４に加えられる力を分散させる機能を有する。
【００２８】
ブラケット２内には、図１（ｂ）・図２に示すように、バンド３１を渡し掛けるホースバンド受け金具６を設けている。ホースバンド受け金具６は、バンド３１がブラケット２のバンド用開口２ａの縁に強く接触しないよう、金属板を鞍型に形成してなる。ホースバンド受け金具６は、図示しないボルト穴を有し、ブラケット２の一方の側面のボルト穴２ｂから通したボルト６１をホースバンド受け金具６に貫通させ、ブラケット２の他方の側面のボルト穴２ｂから突出したボルト６１の先端にナット６２を締め付けてブラケット２に固定することができる。ホースバンド受け金具６とホースバンド３との間にゴムシート７を設け、ホースバンド３が安定した状態でホースバンド受け金具６に掛かるようにしている。
【００２９】
以上に説明した二輪車の付属品取付用具１に、盗難防止用のＵ字形ロック装置２０１のホルダー１０１を取り付けた実施形態を図５・図６に基づき説明する。
【００３０】
Ｕ字形ロック装置２０１は、図６に示すように、Ｕ字形のフレーム２１０と、フレームの両端に掛け渡してロック可能な鍵部２２０とを有する。フレームの両端付近は互いに平行な直線部２１０ａ・２１０ａを備えている。
【００３１】
ホルダー１０１は、図５に示すように、プレート１１０と、プレート１１０に設けられた一対のガイド片１２０・１２０と、ガイド部１３０と、押さえ部１４０とを有する。ガイド片１２０は、Ｕ字形ロック装置２０１の直線部２１０ａをプレート１１０との間に通すことができるよう、断面をクランク型に形成し、プレート１１０にボルト１２１で固定している。ガイド部１３０は、Ｕ字形ロック装置２０１の鍵部２２０を下方から支持できるよう、プレート上端部に幅方向に水平に設けている。押さえ部１４０は、鍵部２２０を上から押さえてＵ字形ロック装置２０１をプレート１１０に固定できるよう、プレート１１０の上部付近にスペーサー１５０を介して図示しないボルトを締め付けて取り付けている。なお、ボルトの締め付け力が押さえ部１４０の特定の箇所に集中しないよう、ボルトと押さえ部１４０との間にライナー１６０を挟んでいる。プレート１１０の中央部にボルト穴１１０ａを形成し、図１に示すボルト９１をブラケット２のボルト穴２ｃ（図３（ｂ））とプレート１１０のボルト穴１１０ａとに通し、ナット９２（図１）を締め付けてプレート１１０をブラケット２に固定できるようにしている。なお、押さえ部１４０の先端は、プレート１１０に直接固定しても、ガイド片１２０・１２０に渡し掛けた図示しない前面プレートに固定してもよい。固定手段は、面ファスナー、ベルト、バックル等、周知の方法が利用できる。
【００３２】
ガイド片１２０のボルト１２１を挿入するための穴として、プレート１１０に幅方向に延びる長円孔１１０ｂを形成している。したがって、ボルト１２１の締め付け位置を長円孔１１０ｂに沿って調節することにより、一対のガイド片１２０・１２０の間隔を、携行しようとするＵ字形ロック装置２０１の直線部２１０ａ・２１０ａの間隔に合わせることができる。
【００３３】
ホルダー１０１にＵ字形ロック装置２０１を保持させるときは、鍵部２２０を外して直線部２１０ａ・２１０ａをプレート１１０とガイド片１２０・１２０の間に下から通し、ガイド部１３０に載せた鍵部２２０を直線部２１０ａの上端部分に掛け渡してロックし、押さえ部１４０をプレート１１０または図示しない前面プレートに固定する。
【符号の説明】
【００３４】
１  二輪車の付属品取付用具
２  ブラケット
２１  突起
３  ホースバンド
４  ゴムシート
５  ブラケット底板
６  ホースバンド受け金具
７  ゴムシート
８  両面テープ
１００  フロントフォークシャフト
１０１  ホルダー
１１０  プレート
１２０  ガイド片
１３０  ガイド部
１４０  押さえ部
２０１  Ｕ字形ロック装置
２１０  フレーム
２２０  鍵部
【要約】
【課題】盗難防止用のＵ字形ロック装置のホルダーや小物入れ等の付属品を、二輪車の車体に加工を施すことなく固定できる二輪車の付属品取付装置を提供する。
【解決手段】二輪車の付属品取付用具１は、二輪車の付属品を固定するためのブラケット２と、ブラケット２を二輪車の円形軸１００に固定するためブラケット２と円形軸１００とに掛け回すホースバンド３とを含む。ホースバンド３およびブラケット２は、円形軸１００との間にゴムシート４を挟んで組み付けられる。
【選択図】図１【図１】
0005514941.tif 000002
【図２】
0005514941.tif 000003
【図３】
0005514941.tif 000004
【図４】
0005514941.tif 000005
【図５】
0005514941.tif 000006
【図６】
0005514941.tif 000007